(57)【要約】【課題】  携帯通信端末に内蔵されるメモリ以外の外部記憶手段を有効に使用し、相手先情報の容量を気にせずに登録して使用することができる、携帯通信端末の相手先情報管理方法および携帯通信端末を提供する。【解決手段】  携帯通信端末１内のアドレス帳４１に新規に相手先情報を登録する（または更新する場合）、制御部１２中の空き領域判定部３２により、アドレス帳４１の空き領域の情報を把握し、空き領域が新規相手先情報の追加に十分か否かを判定し、十分ではないと判定された場合には、外部メモリ保存部３３により、アドレス帳４１内のいずれかの相手先情報中の付加情報を外部メモリ５０へ保存（移行）する。その後、アドレス帳４１に新規の相手先情報を登録する。【選択図】  図１
2006101123.tif 000002
【特許請求の範囲】
【請求項１】
内部記憶手段および着脱可能な外部記憶手段を有する携帯通信端末の相手先情報管理方法において、
前記相手先情報は少なくとも１つの基本情報と付加情報を有し、
前記内部記憶手段における相手先情報記憶領域の空き情報を把握して、
前記空き情報が前記相手先情報の追加または更新情報の保存に十分か否かを判定し、
十分ではないと判定した場合には、前記付加情報を外部記憶手段へ保存すること
を特徴とする携帯通信端末の相手先情報管理方法。
【請求項２】
前記付加情報が外部記憶手段に保存された場合において、
内部記憶手段にも前記外部記憶手段に追加または更新したのと同様な付加情報が保存されている場合には、内部記憶手段の前記の同様な付加情報を消去すること
を特徴とする請求項１に記載の携帯通信端末の相手先情報管理方法。
【請求項３】
前記相手先情報を取り出す場合において、
前記基本情報を基にして、前記付加情報が前記内部記憶手段或いは外部記憶手段のいずれにあるかを判定して取り出すステップと、
前記基本情報と前記付加情報を合わせて表示するステップと
を有することを特徴とする請求項１または請求項２に記載の携帯通信端末の相手先情報管理方法。
【請求項４】
内部記憶手段および着脱可能な外部記憶手段を有する携帯通信端末であって、
前記内部記憶手段および外部記憶手段に少なくとも１つの基本情報と付加情報とからなる相手先情報を登録する相手先情報登録手段と、
前記内部記憶手段における相手先情報記憶領域の空き領域の情報を取得し、前記空き領域が前記相手先情報の追加または更新情報の保存に十分か否かを判定する空き領域判定手段と、
前記空き領域判定手段により、空き領域が十分ではないと判定された場合に、既存のいずれかの相手先情報中の付加情報を前記外部記憶手段へ保存する外部記憶保存手段と
を備えることを特徴とする携帯通信端末。
【請求項５】
前記付加情報が外部記憶手段に保存された場合において、
前記内部記憶手段に前記外部記憶手段に追加または更新したのと同様な付加情報が保存されている場合には、該内部記憶手段中の付加情報を消去する付加情報消去手段を
備えることを特徴とする請求項４に記載の携帯通信端末。
【請求項６】
前記基本情報を基にして、前記付加情報が内部記憶手段或いは外部記憶手段のいずれにあるかを判定して取り出す付加情報取出手段と、
前記付加情報取出手段により取り出した付加情報と基本情報とを合わせて表示する画面表示手段と
を備えることを特徴とする請求項４または請求項５に記載の携帯通信端末。
【発明の詳細な説明】
【技術分野】
【０００１】
本発明は、携帯通信端末の相手先情報管理方法および携帯通信端末に関し、特に、携帯電話等の携帯通信端末に内蔵されるメモリ以外の外部記憶手段を有効に使用し、相手先情報の容量（情報量）を気にせずに登録して使用できる、携帯通信端末の相手先情報管理方法および携帯通信端末に関する。
【背景技術】
【０００２】
近年、携帯電話等の携帯通信端末は通話機能のみならず、メールも頻繁に使用されるようになり、それに伴いアドレス帳（電話帳および電子メールアドレス帳）に相手先情報を登録する件数も増大している。
【０００３】
そして、携帯通信端末に相手先情報を登録する場合においては、記憶容量には限界があるため、例えば、アドレス帳が全件登録状態（新規登録用の空きメモリがない状態）の時に新規にアドレス帳データを登録しようとする場合には、そのままでは登録できないので、自分で削除するアドレス帳データを選択して削除した後に、新規に登録するしか方法がなかった。
【０００４】
図４は、上述した従来の携帯通信端末におけるアドレス帳データの登録、削除、検索の手順をフローチャートで示したものである。
図４（ａ）に示すように、アドレス帳へ相手先情報を登録する場合は、最初に、新規のアドレス帳の内容を入力し（ステップＳ３１）、アドレス帳の内容が入力されると、アドレス帳に空きメモリがあるかどうかが判定される（ステップＳ３２）。アドレス帳に空きメモリがある場合には、アドレス帳への登録手順へ遷移する（ステップＳ３３）。ステップＳ３２において、アドレス帳に空きメモリがないと判定された場合は、新規のアドレス帳の登録は行なわずに処理を終了する。
【０００５】
また、図４（ｂ）に示すように、アドレス帳データの削除を行なう場合は、最初に、アドレス帳を表示し（ステップＳ４１）、削除してよいアドレス帳データを選択し（ステップＳ４２）、アドレス帳データを削除する（ステップＳ４３）。
【０００６】
また、図４（ｃ）に示すように、アドレス帳の検索を行なう場合は、例えば、名前を入力してアドレス帳の検索操作を開始する（ステップＳ５１）。そして、携帯通信端末のアドレス帳に検索した情報があるかどうかが判定される（ステップＳ５２）。アドレス帳に検索した情報がある場合には、検索一致したアドレス帳のデータを表示する（ステップＳ５３）。
ステップＳ５２において、携帯通信端末内のアドレス帳に検索した情報がないと判定された場合は、アドレス帳のデータを表示することなく処理を終了する（ステップＳ５３）。
【０００７】
このように、従来の携帯通信端末において、相手先情報をアドレス帳に登録する場合に、登録操作で内容を入力後に空きメモリがないことが判定されると、アドレス帳データを選択して削除操作を行い、その後に、再度登録操作を行なうことになる。
【０００８】
上述したように従来の携帯通信端末には記憶容量には限界があるため、これを解決するための第１の先行技術として、携帯通信端末で登録された発信先の呼出番号のうち、当該端末には、使用頻度の高い、所定数の発信先の呼出番号のみを記憶させ、通信回線網には、上記登録された発信先の呼出番号の全てを記憶させるものがある。携帯通信端末は、発信する際には、入力された発信先に対して、まず、自身に記憶されている発信先の呼出番号を検索し、該当するものがあれば、その呼出番号に従って発信し、該当するものがなければ、自動的に、通信回線網に検索指示を送信して検索させ、通信回線網から返信される発信先の呼出番号に従って発信する。これにより、端末のメモリに依存することなくアドレスを登録することが可能となる。
【０００９】
また、第２の先行技術が開示されている（例えば、特許文献１参照）。前述したように携帯通信端末に相手先情報を登録する場合においては、記憶容量には限界があるため、特許文献１の先行技術では相手先のアドレス情報等を一時的にバッファに保持すると共に、アドレス情報と電話帳を比較して必要な情報のみを電話帳だけに登録している。
【特許文献１】特開２００３−１９６２０６号公報
【発明の開示】
【発明が解決しようとする課題】
【００１０】
従来の携帯通信端末において、アドレス帳に空きメモリがない場合には、アドレス帳データを削除してから、新規のアドレス帳の内容を入力する必要がある。このため、削除してよいアドレス帳データ（例えば、使用頻度が少ないもの等）を探すのには手間がかかる。アドレス帳データの入力操作、アドレス帳データの削除操作を繰り返す必要があり煩わしい。また、削除したアドレス帳は復帰する手段がないため、永久に削除されるなどの問題点があった。
【００１１】
また、第１の先行技術においては、通信回線側に登録されている情報を利用する場合、いちいち携帯通信端末側で名前の入力検索を行なわなければならないため、非常に不便である。また、携帯通信端末側には、通信回線網側に登録されているアドレス情報はわからないため、登録、未登録の判断がつかない。そのため通信回線側に不要な検索を行ない無駄な通信費要が発生するなどの問題点があった。
【００１２】
本発明はこのような問題を解決するためになされたもので、その目的は、携帯電話に内蔵されるメモリ以外の外部記憶手段を有効に使用し、相手先情報の容量を気にせずに登録して使用することができる、携帯通信端末の相手先情報管理方法および携帯通信端末を提供することにある。
【課題を解決するための手段】
【００１３】
本発明は上記課題を解決するためになされたものであり、内部記憶手段および着脱可能な外部記憶手段を有する携帯通信端末の相手先情報管理方法において、前記相手先情報は少なくとも１つの基本情報と付加情報を有し、前記内部記憶手段における相手先情報記憶領域の空き情報を把握して、前記空き情報が前記相手先情報の追加または更新情報の保存に十分か否かを判定し、十分ではないと判定した場合には、前記付加情報を外部記憶手段へ保存することを特徴とする。
これにより、相手先情報を、その容量（情報量）を気にせずに登録して使用することが可能になる。
【００１４】
また、前記付加情報が外部記憶手段に保存された場合において、内部記憶手段にも前記外部記憶手段に追加または更新したのと同様な付加情報が保存されている場合には、内部記憶手段の前記の同様な付加情報を消去することを特徴とする。
これにより、携帯通信端末内の内部記憶手段（アドレス帳など）のメモリ領域を有効に活用できる。
【００１５】
また、前記相手先情報を取り出す場合において、前記基本情報を基にして、前記付加情報が前記内部記憶手段或いは外部記憶手段のいずれにあるかを判定して取り出すステップと、前記基本情報と前記付加情報を合わせて表示するステップとを有することを特徴とする。
これにより、付加情報が内部記憶手段と外部記憶手段のどちらに保存されていても、相手先情報を検索して表示することができる。
【００１６】
また、前記内部記憶手段および外部記憶手段に少なくとも１つの基本情報と付加情報とからなる相手先情報を登録する相手先情報登録手段と、前記内部記憶手段における相手先情報記憶領域の空き領域の情報を取得し、前記空き領域が前記相手先情報の追加または更新情報の保存に十分か否かを判定する空き領域判定手段と、前記空き領域判定手段により、空き領域が十分ではないと判定された場合に、既存のいずれかの相手先情報中の付加情報を前記外部記憶手段へ保存する外部記憶保存手段とを備えることを特徴とする。
これにより、相手先情報を、その容量（情報量）を気にせずに登録して使用することが可能になる。
【００１７】
また、前記付加情報が外部記憶手段に保存された場合において、前記内部記憶手段に前記外部記憶手段に追加または更新したのと同様な付加情報が保存されている場合には、該内部記憶手段中の付加情報を消去する付加情報消去手段を備えることを特徴とする。
これにより、携帯通信端末内の内部記憶手段（アドレス帳など）のメモリ領域を有効に活用できる。
【００１８】
また、前記基本情報を基にして、前記付加情報が内部記憶手段或いは外部記憶手段のいずれにあるかを判定して取り出す付加情報取出手段と、前記付加情報取出手段により取り出した付加情報と基本情報とを合わせて表示する画面表示手段とを備えることを特徴とする。
これにより、付加情報が内部記憶手段と外部記憶手段のどちらに保存されていても、相手先情報を検索して表示することができる。
【発明の効果】
【００１９】
本発明の携帯通信端末の相手先情報管理方法および携帯通信端末においては、携帯通信端末の内部記憶手段（アドレス帳など）に基本情報（名前など）のみを残し、付加情報（電子メールアドレス、電話番号、個人情報等）を外部記憶手段に記憶させることができるようにしたので、これにより、相手先情報を、その容量（情報量）を気にせずに登録して使用することが可能になる。
【００２０】
また、本発明の携帯通信端末の相手先情報管理方法および携帯通信端末においては、付加情報を外部記憶手段に保存した場合は、内部記憶手段に保存されている同様な加情報を消去するようにしたので、これにより、携帯通信端末内の内部記憶手段（アドレス帳など）のメモリ領域を有効に活用できる。
【００２１】
また、本発明の携帯通信端末の相手先情報管理方法および携帯通信端末においては、相手先情報を取り出す場合に、基本情報を基にして、付加情報が内部記憶手段或いは外部記憶手段のいずれかにあるかを判定して取り出し、基本情報と合わせて表示すようにしたので、これにより、付加情報が内部記憶手段と外部記憶手段のどちらに保存されていても、相手先情報を検索して表示することができる。
【発明を実施するための最良の形態】
【００２２】
次に本発明を実施するための最良の形態について図面を参照して説明する。
【００２３】
図１は、本発明の携帯通信端末の構成例を示す図である。図１において、送受信回路部１１は、携帯通信端末１における送受信処理を制御部１２の制御によって実行する回路であり、この送受信回路部１１にアンテナ１０が接続されている。制御部１２は、記憶部４０に記述されたプログラム（図示せず）にしたがって操作キー１６及び送受信回路部１１からの制御信号により動作し、送受信回路部１１、画面表示部２０及び音声処理部１３を制御して、音声通信における呼処理を行うと共に、電子メールの送受信処理を行う。音声処理部１３は音声信号の増幅処理を行う回路であり、スピーカ１４およびマイク１５に接続されている。
【００２４】
バイブレータ２２は、制御部１２の制御によって、例えば鳴動音に代わり携帯通信端末全体を振動させて着信をユーザに知らせる振動装置である。ＬＥＤ２１は、携帯通信端末の操作面の上部に位置する例えば赤色ＬＥＤであり、制御部１２の制御により充電時や着信時に点灯または点滅する可視表示部である。
【００２５】
また、記憶部（内部記憶手段）４０には、アドレス帳４１が設けられる。このアドレス帳４１には、通信相手先ごとに、基本情報と付加情報とが記録される。基本情報は、例えば、通信相手先の名前などの情報であり、付加情報は、相手先電話番号や電子メールアドレス、相手先の住所、性別、職業などの個人情報である。
【００２６】
また、外部メモリ（外部記憶手段）５０は、携帯通信端末１の着脱可能なＳＤメモリカード（Secure Digital memory card）などであり、アドレス帳４１に空きメモリがない場合に、アドレス帳データ（付加情報）を保存するためのメモリである。
【００２７】
また、制御部１２には、本発明の機能を実現するための主要な機能部として、アドレス帳登録部（相手先情報登録手段）３１、空き領域判定部（空き領域判定手段）３２、外部メモリ保存部（外部記憶保存手段）３３、付加情報消去部（付加情報消去手段）３４、アドレス帳検索部３５、付加情報取出部（付加情報取出手段）３６とが設けられている。
【００２８】
アドレス帳登録部３１は、記憶部４０内のアドレス帳４１に相手先情報を登録するための処理部である。空き領域判定部３２は、記憶部４０内のアドレス帳４１の空き領域の情報を取得し、空き領域が相手先情報の追加または更新情報の保存に十分か否かを判定する処理部である。また、外部メモリ保存部３３は、空き領域判定部３２により、アドレス帳４１の空き領域が相手先情報の追加または更新情報の保存に十分ではないと判定された場合に、アドレス帳４１のデータ（付加情報）を外部メモリ５０へ保存する処理部である。また、付加情報消去部３４は、アドレス帳４１に外部メモリ５０に保存した付加情報と同様な情報が保存されている場合に、アドレス帳４１の同様な付加情報を消去する処理部である。
【００２９】
また、図２は、付加情報を外部メモリへ保存した状態を示す図である。図２においては、アドレス帳４１にはメモリ領域に余裕がなく、基本情報Ｃに対応する付加情報Ｃと、基本情報Ｆに対応する付加情報Ｆとを外部メモリ５０に保存（移行）した例を示している。
【００３０】
なお、アドレス帳４１のデータのどれを外部メモリ５０に保存（移行）するかは、ユーザが選択できるようにしてもよいし、使用頻度の少ない相手先情報や、使用した日付が最も古い相手先情報から自動的に外部メモリ５０に保存するなど種々の方法（基準）を使用することができる。
【００３１】
また、図１に示す構成例では、アドレス帳４１のデータの保存に外部メモリ５０を使用する例であるが、外部メモリをネットワーク経由のサーバに置き換えることにより、ネットワーク経由でのアドレス帳データの移行が可能となる。
【００３２】
図３は、図１に示した携帯通信端末における相手先情報の登録手順を示すフローチャートである。以下、図３を参照して、その手順について説明する。
最初に、図１に示すアドレス帳登録部３１の機能により、新規にアドレス帳の内容を入力する（ステップＳ１１）。アドレス帳の内容が入力されると、図１に示す空き領域判定部３２により、アドレス帳４１に空きメモリ（空き領域）があるかどうかが判定される（ステップＳ１２）。アドレス帳に空きメモリがある場合には、アドレス帳４１への登録手順へ遷移する（ステップＳ１５）。
【００３３】
ステップＳ１２において、空き領域判定部３２により、アドレス帳４１に空きメモリがないと判定された場合は、図１に示す外部メモリ保存部３３により、アドレス帳４１のデータ（付加情報）を外部メモリ（例えば、ＳＤカード等）５０に移す（ステップＳ１３）。
そして、図１に示す付加情報消去部３４により、アドレス帳４１から外部メモリ５０に移したデータを削除する（ステップＳ１４）。なお、削除項目は、基本情報（名前等）以外の全項目とする。
【００３４】
そして、アドレス帳データを削除した後に、新規のアドレス帳データを登録する（ステップＳ１５）。
【００３５】
なお、上記手順は、アドレス帳４１のデータの保存に外部メモリ５０を使用する場合の処理手順であるが、外部メモリをネットワーク経由のサーバに置き換えることにより、ネットワーク経由でのアドレス帳データの移行が可能となる。
【００３６】
また、図４は、本発明の携帯通信端末における相手先情報の検索手順を示すフローチャートである。以下、図４を参照して、その手順について説明する。
最初に、図１に示すアドレス帳検索部３５の機能により、アドレス帳の検索操作を開始する（ステップＳ２１）。例えば、基本情報として名前を入力する。
【００３７】
携帯通信端末内のアドレス帳４１には名前（基本情報）が残っているので名前をキーとし、携帯通信端末内のアドレス帳４１に名前以外の情報があるかどうかを判定する（ステップＳ２２）。アドレス帳４１に名前以外の情報がある場合には、検索一致したアドレス帳４１のデータを全て表示する（ステップＳ２５）。
【００３８】
ステップＳ２２において、携帯通信端末内のアドレス帳４１に名前以外の情報がないと判定された場合は、外部メモリ５０を検索し外部メモリ５０に名前以外の情報があるかどうか判定する（ステップＳ２３）。
【００３９】
ステップＳ２３において、外部メモリ５０に名前以外の情報があると判定された場合は、検索一致したアドレス帳のデータを全て表示する（ステップＳ２５）。また、外部メモリ５０に名前以外の情報がない判定された場合は、アドレス帳４１の名前のみを表示するか、または検索結果を表示しない（ステップＳ２４）。
【００４０】
なお、上記手順は、外部メモリを使用する場合の処理手順であるが、外部メモリをネットワーク経由のサーバに置き換えることにより、ネットワーク経由での検索が可能となる。
【００４１】
以上説明した処理手順を実行することにより、本発明の携帯通信端末においては、アドレス帳４１に空き領域がない場合でも、アドレス帳データを外部メモリ５０に保存することができるので、従来の携帯通信端末のようにアドレス帳データを削除する必要がなくなる。また、アドレス帳４１に空きメモリがない場合でも、アドレス帳データの登録が一度の操作で行なえるので、従来のように登録内容を二度編集しなくても済む。さらに、削除したデータの履歴が名前として携帯通信端末側に残るので外部メモリ５０ヘのアクセスの際に無駄な処理を発生させない。
【００４２】
また、上記実施の形態では、携帯通信端末を例に挙げて説明したが、携帯通信端末としては、携帯電話機、モバイル端末、ＰＤＡ（Personal Digital Assistance）等が含まれる。
【００４３】
以上、本発明の携帯通信端末の実施の形態について説明したが、本発明の携帯通信端末は、上述の図示例にのみ限定されるものではなく、本発明の要旨を逸脱しない範囲内において種々変更を加え得ることは勿論である。
【産業上の利用可能性】
【００４４】
本発明においては、携帯通信端末のアドレス帳に空き領域がない場合でも、アドレス帳のデータを外部メモリに保存することができるので、相手先情報の容量を気にせずに登録して使用できる効果を奏するので、本発明は、携帯通信端末の相手先情報管理方法および携帯通信端末等に有用である。
【図面の簡単な説明】
【００４５】
【図１】本発明の携帯通信端末の構成例を示す図である。
【図２】付加情報を外部メモリへ保存した状態を示す図である。
【図３】本発明の携帯通信端末におけるアドレス帳データの登録及び検索手順を示すフローチャートである。
【図４】従来の携帯通信端末におけるアドレス帳データの登録・削除・検索の手順を示すフローチャートである。
【符号の説明】
【００４６】
１  携帯通信端末
１０  アンテナ
１１  送受信回路部
１２  制御部
１３  音声処理部
１４  スピーカ
１５  マイク
１６  操作キー
２０  画面表示部
２１  ＬＥＤ
２２  バイブレータ
３１  アドレス帳登録部
３２  空き領域判定部
３３  外部メモリ保存部
３４  付加情報消去部
３５  アドレス帳検索部
３６  付加情報取出部
４０  記憶部
４１  アドレス帳
５０  外部メモリ
【図１】
2006101123.tif 000003
【図２】
2006101123.tif 000004
【図３】
2006101123.tif 000005
【図４】
2006101123.tif 000006